(57)【要約】    【課題】圧板を開閉する際、眩しくない光量で原稿のサイズを検知することができる画像読取装置を提供する。    【解決手段】ＣＰＵ６００は、圧板開閉角検知センサ２００により圧板１０８が開かれたことを検知すると（Ｓ１）、圧板１０８が開かれた角度を検知する（Ｓ２）。ＣＰＵ６００は、メモリ６０２から原稿サイズ検知時における圧板の開閉角度に応じたＬＥＤ光源１１６の光量設定値を読み出し（Ｓ３）、圧板１０８が閉められる動きを検知する（Ｓ４）。ＣＰＵ６００は、メモリ６０２から読み出された光量設定値でＬＥＤ光源を点灯させ（Ｓ５）、原稿から反射されてくる光を検知し、原稿の主走査サイズを検知する（Ｓ６）。ＣＰＵ６００は、原稿の主走査サイズを検知した段階で、ＬＥＤ光源１１６を消灯（ＯＦＦ）させる（Ｓ７）。【選択図】図９
2010130631.tif 000002
【特許請求の範囲】
【請求項１】
原稿の反射光から前記原稿の画像を読み取る画像読取装置において、
前記原稿を押さえる圧板と、
前記原稿に光を照射する光源と、
前記圧板の開閉度合いを検知する開閉検知手段と、
前記開閉度合いに応じた光量設定値を取得する設定値取得手段と、
前記設定値取得手段によって取得した光量設定値に従って、前記光源の光量を調整する光量調整手段と、
前記光量調整手段によって前記光源の光量が調整され、前記光源によって光が照射された前記原稿の反射光から前記原稿のサイズを検知するサイズ検知手段とを備えたことを特徴とする画像読取装置。
【請求項２】
前記光源によって光が照射された前記原稿の反射光から前記原稿のサイズを検知できない場合、前記光量調整手段は、前記光源の光量を前記光量設定値から増加させることを特徴とする請求項１記載の画像読取装置。
【請求項３】
光量増加値を取得する増加値取得手段を備え、
前記光量調整手段は、前記原稿の反射光から前記原稿のサイズを検知できるようになるまで、時間の経過とともに、前記光量設定値に前記光量増加値を繰り返し加算し、前記光源の光量を増加させることを特徴とする請求項２記載の画像読取装置。
【請求項４】
前記光量設定値を記憶する記憶手段を備え、
前記設定値取得手段は、前記記憶手段に記憶された前記光量設定値を読み出すことを特徴とする請求項１記載の画像読取装置。
【請求項５】
前記光量設定値を記憶する第１の記憶手段と、
前記光量増加値を記憶する第２の記憶手段とを備え、
前記設定値取得手段は、前記第１の記憶手段に記憶された前記光量設定値を読み出し、前記増加値取得手段は、前記第２の記憶手段に記憶された前記光量増加値を読み出すことを特徴とする請求項３記載の画像読取装置。
【請求項６】
前記原稿のサイズは主走査サイズであることを特徴とする請求項１ないし４のいずれか１項に記載の画像読取装置。
【請求項７】
前記光源は、複数の、ＬＥＤチップからなる点光源が配置されたＬＥＤ光源であることを特徴とする請求項１ないし６のいずれか１項に記載の画像読取装置。
【請求項８】
原稿を押さえる圧板と、前記原稿に光を照射する光源とを備え、前記原稿の反射光から前記原稿の画像を読み取る画像読取装置の原稿サイズ検知方法において、
前記圧板の開閉度合いを検知する開閉検知ステップと、
前記開閉度合いに応じた光量設定値を取得する設定値取得ステップと、
前記設定値取得ステップで取得した光量設定値に従って、前記光源の光量を調整する光量調整ステップと、
前記光量調整ステップで前記光源の光量が調整され、前記光源によって光が照射された前記原稿の反射光から前記原稿のサイズを検知するサイズ検知ステップとを有することを特徴とする原稿サイズ検知方法。
【発明の詳細な説明】
【技術分野】
【０００１】
本発明は、光源を用いて原稿に光を照射し、原稿の反射光からその画像を読み取る画像読取装置及びその原稿サイズ検知方法に関する。
【背景技術】
【０００２】
従来、画像読取装置における原稿の主走査サイズ検知を行う場合、代表的なものとして、主走査サイズ検知用センサをそれ専用に設けるという手法がある。この方法では、原稿台ガラスに置かれた原稿に対し、原稿台ガラスの下方からＬＥＤ光源による赤外線を照射し、その反射光を読み取ることにより、原稿の主走査サイズがラージサイズであるかスモールサイズであるかが検知される。
【０００３】
図１５は従来の画像読取装置の構成を示す断面図である。画像読取装置５００は、画像読み取り部５１０および圧板５０８から構成される。画像読み取り部５１０は、光学ユニット枠体（図示せず）および原稿が搭載される原稿台ガラス５２２を支持する枠体５１５を有する。枠体５１５の内部には、ＣＣＤやＣＭＯＳからなる光電変換素子５２１、光電変換素子５２１に原稿台からの光を集光するレンズ５２０、および光学ユニット枠体（図示せず）に収容され、原稿台上の原稿を照らすＬＥＤ光源５１６が設けられている。また、枠体５１５の内部には、光学ユニット枠体（図示せず）に収容され、原稿からの反射光を光電変換素子に導くための折り返しミラー５１７、５１８、５１９が設けられている。また、枠体５１５の底部には、主走査サイズ検知センサ５０１が設けられている。
【０００４】
一方、圧板５０８は、原稿５３０が浮かないように原稿を押さえるとともに、原稿の無い部分の背景を作るための白い部材の面を有する。画像読み取り部５１０は、原稿台ガラス５２２に搭載された原稿５３０に沿って、ＬＥＤ光源５１６および折り返しミラー５１７、５１８、５１９を支持する光学ユニット枠体が移動することにより、原稿の画像を読み込む。
【０００５】
また、主走査サイズ検知センサ５０１のような原稿の主走査サイズ検知用としての専用センサではなく、画像読み取り用に設けられている光電変換素子（ＣＣＤセンサやＣＭＯＳセンサ）を使う手法も知られている（特許文献１参照）。この場合、原稿照射用に設けられている光源を発光させ、原稿からの反射光を読み取ることにより、原稿の主走査サイズが検知される。
【０００６】
原稿の主走査サイズを読み取るタイミングは、先に述べた原稿主走査サイズ検知用の専用センサを用いた場合でも、次に述べる画像読み取り用に設けられている光電変換素子（ＣＣＤセンサやＣＭＯＳセンサ）を使う場合のいずれにおいても、同じである。すなわち、このタイミングは、使用者が画像読取装置に載置された原稿を押さえるための圧板を押し上げて原稿を原稿台ガラスにセットした時である。
【０００７】
原稿を原稿台ガラスにセットする時の検知方法として、圧板がある程度押し上げられると、センサがその開きを検知し、画像読取装置は、使用者が原稿をセットしていると判断する。次に、使用者が圧板を押し下げようすると、センサがそれを検知し、この時、画像読取装置は、原稿の主走査サイズを検知する動作を行う。
【０００８】
このようなタイミングで検知動作を行う理由は、原稿を押さえるための圧板が、原稿ではない部分に色がつかないように白い部材でできているため、完全に閉じられると、圧板と原稿との境目の区別が難しくなるからである。つまり、圧板を閉める途中、原稿に当って反射される反射光が返ってくる部分と、原稿の無い部分で反射光が返ってこない部分とが生じる状況を作り出すことによって、原稿の主走査サイズを読み取ることができるのである。
【特許文献１】特開２００１−３４６００９号公報
【発明の開示】
【発明が解決しようとする課題】
【０００９】
しかしながら、上記従来の画像読取装置には、つぎのような問題があった。まず、原稿主走査サイズ検知用に専用センサを用いた場合、当然のようにコスト高になってしまった。また、専用センサを設けることにより、そのセンサを取り付けるためのスペースの確保が必要となり、画像読取装置のサイズを小さくすることができなかった。図１５には、画像読取装置５００の枠体５１５の底部には、前述した主走査サイズ検知センサ５０１が設けられている。
【００１０】
また、画像読み取り用に設けられている光電変換素子（ＣＣＤセンサやＣＭＯＳセンサ）を使う場合、原稿主走査サイズ検知用の専用センサを用いないため、コストとスペース面で有利である。しかし、圧板が開いている状態で原稿の主走査サイズを検知するので、光源からの光が使用者にとって眩しいという新たな問題が生じた。
【００１１】
従来の画像読取装置では、主走査方向に光量のばらつきの少ない光源として、ハロゲン管、キセノン管、蛍光灯などの光源が用いられてきた。しかし、これらの光源の特徴として、光量を変更する際の応答性が良くなく、従来では、光源の光量を変えて原稿の主走査サイズを検知する制御を行うことができなかった。また、たとえ光量を低くして原稿サイズを読み取れるようにしても、原稿の色、反射率、外光の影響などによって、上手く読み取れない場合が発生した。
【００１２】
また、特にＬＥＤを原稿読み取り装置の光源に使用すると、ＬＥＤのような点光源は、従来のような主走査方向に一様に光る光源ではなく、ＬＥＤ個々の発光点が極めて眩しく光るので、使用者を不快にさせる原因となってしまう。
【００１３】
そこで、本発明は、圧板を開閉する際、眩しくない光量で原稿のサイズを検知することができる画像読取装置及びその原稿サイズ検知方法を提供することを目的とする。
【課題を解決するための手段】
【００１４】
上記目的を達成するために、本発明の画像読取装置は、原稿の反射光から前記原稿の画像を読み取る画像読取装置において、前記原稿を押さえる圧板と、前記原稿に光を照射する光源と、前記圧板の開閉度合いを検知する開閉検知手段と、前記開閉度合いに応じた光量設定値を取得する設定値取得手段と、前記設定値取得手段によって取得した光量設定値に従って、前記光源の光量を調整する光量調整手段と、前記光量調整手段によって前記光源の光量が調整され、前記光源によって光が照射された前記原稿の反射光から前記原稿のサイズを検知するサイズ検知手段とを備えたことを特徴とする。
【００１５】
本発明の原稿サイズ検知方法は、原稿を押さえる圧板と、前記原稿に光を照射する光源とを備え、前記原稿の反射光から前記原稿の画像を読み取る画像読取装置の原稿サイズ検知方法において、前記圧板の開閉度合いを検知する開閉検知ステップと、前記開閉度合いに応じた光量設定値を取得する設定値取得ステップと、前記設定値取得ステップで取得した光量設定値に従って、前記光源の光量を調整する光量調整ステップと、前記光量調整ステップで前記光源の光量が調整され、前記光源によって光が照射された前記原稿の反射光から前記原稿のサイズを検知するサイズ検知ステップとを有することを特徴とする。
【発明の効果】
【００１６】
本発明の請求項１に係る画像読取装置は、圧板の開閉度合いを検知し、この開閉度合いに応じた光量設定値を取得し、取得した光量設定値に従って、光源の光量を調整し、光源によって光が照射された原稿の反射光から原稿のサイズを検知する。これにより、圧板を開閉する際、眩しくない光量で原稿のサイズを検知することができる。例えば、ＬＥＤを光源として用いた場合でも、眩しくない光量で主走査サイズ検知を行うことができる。
【００１７】
請求項２に係る画像読取装置によれば、圧板が開かれた状態で原稿サイズを検知するために、原稿の色、反射率、外光の影響などから、予め設定された光量だけでは検知できない場合があるが、このような場合であっても、原稿のサイズを検知することが可能となる。つまり、圧板の開閉角度に応じて、予め設定された光源の光量を、時間の経過とともに増加させることで、使用者にとって違和感なく徐々に光量を上げることができ、眩しくなくかつ確実に原稿のサイズを検知することが可能となる。
【００１８】
請求項３に係る画像読取装置によれば、光源の光量を段階的に上げていくことで、例えば、ＬＥＤを光源として用いた場合でも、眩しくなくかつ確実に原稿のサイズを検知することが可能となる。
【００１９】
請求項４、５に係る画像読取装置によれば、記憶手段に記憶しておくことで、光量の調整を簡単かつ速やかに行うことができる。
【００２０】
請求項６に係る画像読取装置によれば、眩しくない光量で主走査サイズの検知が行える。
【００２１】
請求項７に係る画像読取装置によれば、ＬＥＤを光源として用いることによる、眩しさの低減を図り、眩しくない光量で原稿のサイズ検知が可能となる。また、原稿の光源をＬＥＤにすることで、光量の変更に対する応答性を高めることができる。
【発明を実施するための最良の形態】
【００２２】
本発明の画像読取装置及びその原稿サイズ検知方法の実施の形態について図面を参照しながら説明する。
【００２３】
［第１の実施形態］
図１は第１の実施形態の画像読取装置の構成を示す断面図である。画像読取装置１０は、画像読み取り部１１０および圧板１０８から構成される。画像読み取り部１１０は、光学ユニット枠体（図示せず）および原稿が搭載される原稿台ガラス１２２を支持する枠体１１５を有する。
【００２４】
枠体１１５の内部には、ＣＣＤやＣＭＯＳからなる光電変換素子１２１、光電変換素子１２１に原稿台からの光を集光するレンズ１２０、および光学ユニット枠体（図示せず）に収容され、原稿台上の原稿を照らすＬＥＤ光源１１６が設けられている。また、枠体１１５の内部には、光学ユニット枠体（図示せず）に収容され、原稿からの反射光を光電変換素子に導くための折り返しミラー１１７、１１８、１１９が設けられている。
【００２５】
また、圧板１０８は、原稿１００が浮かないように原稿を押さえるとともに、原稿の無い部分の背景を作るために白い部材の面を有する。また、後述するように、圧板１０８には、その回転を支持する圧板開閉レバー１３０（図４参照）が取り付けられ、さらに、その端部には、フィン１３１（図４参照）が付属している。
【００２６】
画像読み取り部１１０は、原稿台ガラス１２２に搭載された原稿１００に沿って、ＬＥＤ光源１１６および折り返しミラー１１７、１１８、１１９を収容する光学ユニット枠体が移動することにより、原稿の画像を読み込む。
【００２７】
図２はＬＥＤ光源１１６におけるＬＥＤチップのレイアウトを示す図である。ＬＥＤ光源１１６は、２本のＬＥＤアレイ１１６Ａ、１１６Ｂからなる。ＬＥＤアレイ１１６Ａ、１１６Ｂそれぞれには、複数のＬＥＤチップ１１６ｃ、１１６ｄがアレイ状に並べられている。複数のＬＥＤチップ１１６ｃ、１１６ｄは、各ＬＥＤアレイ１１６Ａ、１１６Ｂの中央部で粗に実装され、その端部で密に実装されている。これは、レンズ１２０によりＬＥＤアレイの端部の光量が光電変換素子１２１に到達する際に低下しているため、図２に示すように、ＬＥＤアレイの端部でＬＥＤチップを密に実装することで、光電変換素子１２１上の光量が均一になるからである。
【００２８】
図３は原稿台ガラス１２２に原稿１００を載置する際の原稿の位置を表した図である。原稿台ガラス１２２の図中左側および上側には、それぞれ主走査方向サイズ目安板１３３および副走査方向サイズ目安板１３２が設けられている。使用者は、主走査方向サイズ目安板１３３および副走査方向サイズ目安板１３２を目印にして、原稿１００を原稿台ガラス１２２上に配置する。図３では、Ｂ５サイズの原稿が配置されている。
【００２９】
図４は圧板１０８が開かれた際、ＬＥＤ光源１１６が光を照射し、原稿１００によって光が反射されるとともに、原稿１００の無い部分においてＬＥＤ光源１１６からの光が通過する様子を示す図である。原稿１００で反射した光は光電変換素子１２１によって検出される。一方、光電変換素子１２１に光が反射して来ないエリアは原稿の無いエリアであるとして、その境目を読み取ることによって、原稿の主走査サイズは検知される。
【００３０】
使用者が、原稿１００を原稿台ガラス１２２に載置しようとして、圧板１０８を開けると、圧板１０８に取り付けられている圧板開閉レバー１３０およびこれに付属するフィン１３１が圧板１０８の開閉に連動する。このとき、４つの圧板開閉角検知センサ２００ａ、２００ｂ、２００ｃ、２００ｄ（開閉検知手段）によって、圧板の開閉とその開閉角度が検知される。
【００３１】
図５は４つの圧板開閉角検知センサ２００ａ、２００ｂ、２００ｃ、２００ｄとして使われているフォトインタラプタの外観を示す斜視図である。４つの圧板開閉角検知センサ２００ａ、２００ｂ、２００ｃ、２００ｄは同一の構造を有しており、特に区別する必要がない場合、これらを圧板開閉角検知センサ２００と称する。圧板開閉角検知センサ２００を構成するフォトインタラプタは、周知のものであり、フィン１３１がその隙間に位置するか否かによって異なる信号を出力する。
【００３２】
圧板１０８が完全に閉まった状態である場合、圧板開閉角検知センサ２００ａは、フィン１３１によってフォトインタラプタの光が遮断されていることを検知する。この状態から、使用者が圧板１０８を押し上げようとすると、圧板開閉角検知センサ２００ａに位置していたフィン１３１が外れ、圧板開閉角検知センサ２００ａはそれを検知する。これにより、圧板が開かれたことが検知される。
【００３３】
画像読取装置１０は、圧板１０８が開かれたことを検知すると、次に圧板１０８が閉まることを検知するまで待つ。図４では、圧板開閉角検知センサ２００ｂは、圧板１０８が３０°開いたことを検知するように配置されている。また、圧板開閉角検知センサ２００ｃは、圧板１０８が４５°開いたことを検知するように配置され、圧板開閉角検知センサ２００ｄは、圧板１０８が７０°開いたことを検知するように配置されている。
【００３４】
図４に示すように、圧板開閉角検知センサ２００ｃにフィン１３１が止まった状態である場合、圧板が４５°開かれていることが検知される。この位置から、圧板１０８を閉めようとすると、圧板開閉角検知センサ２００ｃがフィン１３１を検知しない状態に移行する。この状態を検知することにより、圧板１０８は４５°開かれた状態から閉じられようとしていることが検知される。
【００３５】
ここで、図４からも明らかように、原稿が無く光が通過するエリアは使用者に一番近い部分であるので、使用者はとても眩しいと感じてしまう。特に、ＬＥＤ光源１１６は点光源であるＬＥＤチップをアレイ状に並べた光源であり、また、図２に示すように、原稿の無いエリアにはＬＥＤチップ１１６ｃ、１１６ｄが密に配置されているので、使用者はますます眩しいと感じてしまうことになる。
【００３６】
図６は画像読取装置１０の制御ユニットの構成を示すブロック図である。制御ユニットは、制御部（ＣＰＵ）６００、圧板開閉角検知センサ２００、原稿からの反射光を受光する光電変換素子１２１、メモリ６０２、ＬＥＤ光源１１６、および光量設定値に応じてＬＥＤの光量を制御するＬＥＤ調光回路７００からなる。メモリ６０２には、原稿サイズ検知時における圧板開閉角検知センサ２００の開閉角度に応じたＬＥＤ光源１１６の光量設定値が記憶されている。
【００３７】
制御部（ＣＰＵ）６００は、圧板開閉角検知センサ２００から圧板の開閉状態と圧板の開閉角度を検知する。また、ＣＰＵ６００は、メモリ６０２から圧板の開閉角度に応じたＬＥＤ光源の光量設定値を読み出す。ＣＰＵ６００は、その光量設定値を用いてＬＥＤ調光回路７００を駆動し、ＬＥＤ光源１１６を点灯させる。光電変換素子１２１がそのＬＥＤ光源１１６の点灯によって照射された原稿台ガラス上の原稿からの反射光を読み取る（検知する）ことで、ＣＰＵ６００は原稿の主走査サイズを検知する。
【００３８】
図７はＬＥＤ光源１１６およびＬＥＤ調光回路７００の回路構成を示す図である。図７には、ＣＰＵ６００、メモリ６０２および圧板開閉角検知センサ２００も示されている。ＬＥＤ調光回路７００は、主に、Ｄ／Ａコンバータ６０１、オペアンプＯＰ１、トランジスタＴｒ１および抵抗Ｒ１を有する。
【００３９】
制御部（ＣＰＵ）６００は、前述したように、圧板開閉角検知センサ２００から圧板の開閉状態と圧板の開閉角度を検知する。ＣＰＵ６００はメモリ６０２から圧板の開閉角度に応じたＬＥＤ光源の光量設定値を読み出す。ＣＰＵ６００は、その光量設定値を用いて、ＬＥＤ調光回路７００のＤ／Ａコンバータ６０１に、ＬＥＤ光量設定値をセットする。Ｄ／Ａコンバータ６０１は、セットされたデジタル値をアナログ出力に変換する。そして、オペアンプＯＰ１を介して、トランジスタＴｒ１の電流が制御される。このとき、Ｄ／Ａコンバータ６０１によって変換されたアナログ信号はオペアンプＯＰ１のリファレンス電圧とされる。オペアンプＯＰ１は、抵抗Ｒ１に流れる電流を検出しながら抵抗Ｒ１に所望の電流が流れるように、トランジスタＴｒ１を駆動し、ＬＥＤチップ１１６ｃ、１１６ｄ（ＬＥＤ１〜ＬＥＤｎ）に流れる電流、つまりＬＥＤ光源１１６の光量を制御する。
【００４０】
図８は原稿サイズ検知時における圧板の開閉角度に応じたＬＥＤ光源１１６の光量設定値を示すグラフである。前述したように、圧板の開閉角度に応じたＬＥＤ光源１１６の光量設定値は、メモリ６０２に記憶されている。
【００４１】
このグラフでは、圧板が閉まっている状態や原稿の画像データを読み取る際のＬＥＤ光量を１００％に設定した場合、圧板の開閉角度が大きいほど、ＬＥＤ光量を低下させて原稿の主走査サイズが検知される。つまり、圧板の開閉角度が０°、３０°、４５°、７０°のとき、ＬＥＤ光量はそれぞれ１００％、８０％、７０％、６０％に設定される。このように、圧板の開閉角度が大きくなると、使用者の目に入るＬＥＤ光源の影響も大きくなることから、開閉角度が大きいほどＬＥＤ光量を少なくするように、制御が行われる。
【００４２】
図９は原稿の主走査サイズ検知処理手順を示すフローチャートである。この処理プログラムはメモリ６０２に格納されており、ＣＰＵ６００によって実行される。まず、ＣＰＵ６００は、圧板開閉角検知センサ２００により圧板１０８が開かれたことを検知する（ステップＳ１）。さらに、ＣＰＵ６００は圧板１０８が開かれた角度を検知する（ステップＳ２）。
【００４３】
ＣＰＵ６００は、メモリ６０２から原稿サイズ検知時における圧板の開閉角度に応じたＬＥＤ光源の光量設定値を読み出す（ステップＳ３）。このステップＳ３の処理は光量設定値を取得する設定値取得手段の一例である。ＣＰＵ６００は、圧板１０８が閉められる動きを検知する（ステップＳ４）。
【００４４】
ＣＰＵ６００は、ステップＳ３でメモリ６０２から読み出された光量設定値でＬＥＤ光源を点灯させる（ステップＳ５）。このステップＳ５の処理は光量調整手段の一例である。ＣＰＵ６００は、原稿から反射されてくる光を検知し、原稿の主走査サイズを検知する（ステップＳ６）。そして、ＣＰＵ６００は、原稿の主走査サイズを検知した段階で、ＬＥＤ光源１１６を消灯（ＯＦＦ）させる（ステップＳ７）。この後、ＣＰＵ６００は本処理を終了する。
【００４５】
第１の実施形態の画像読取装置は、予めメモリに記憶された圧板の開閉角度に応じた光量で原稿に光を照射しながら原稿の主走査サイズを読み取る。従って、ＬＥＤを光源として用いた場合、圧板を開閉する際に眩しくない光量で主走査サイズ検知を行うことができる。また、原稿の光源をＬＥＤにすることで、光量変更に対する応答性を高めることができる。このように、ＬＥＤを光源として用いることの眩しさの低減を図り、眩しくない光量で主走査サイズ検知が可能となる。また、メモリに光量設定値を記憶しておくことで、光量の調整を簡単かつ速やかに行うことができる。
【００４６】
［第２の実施形態］
図１０は第２の実施形態における画像読取装置の制御ユニットの構成を示すブロック図である。第２の実施形態の画像読取装置は、前記第１の実施形態と異なり、第１メモリ６０２ａ（第１の記憶手段）と第２メモリ６０２ｂ（第２の記憶手段）とからなる２つの記憶エリアを有する。なお、前記第１の実施形態と同一の構成要素については同一の符号を用いる。
【００４７】
制御ユニットは、制御部（ＣＰＵ）６００、圧板開閉角検知センサ２００、光電変換素子１２１、第１メモリ６０２ａ、第２メモリ６０２ｂ、ＬＥＤ光源１１６、および光量設定値に応じてＬＥＤの光量を制御するＬＥＤ調光回路７００からなる。光電変換素子１２１は原稿からの反射光を受光する。
【００４８】
第１メモリ６０２ａには、原稿サイズ検知時における圧板開閉角検知センサ２００によって検知される圧板の開平角度に応じたＬＥＤ光源１１６の初期光量設定値が記憶されている。また、第２メモリ６０２ｂには、第１メモリ６０２ａに記憶された初期光量からどれくらいのステップで光量を増やしていくのかを表す光量ステップアップ分が記憶されている。
【００４９】
ＬＥＤ調光回路７００は、第１メモリ６０２ａに記憶された初期光量設定値に応じてＬＥＤ光源１１６を点灯し、ある所定時時間経過後、原稿の主走査サイズが検知できない場合、第２メモリ６０２ｂに記憶された光量ステップアップ分だけ光量を増やす制御を行う。
【００５０】
制御部（ＣＰＵ）６００は、圧板開閉角検知センサ２００から圧板の開閉状態と圧板の開閉角度を検知する。また、ＣＰＵ６００は、第１のメモリ６０２ａから圧板の開閉角度に応じたＬＥＤ光源の初期光量設定値を読み出す。ＣＰＵ６００は、その光量設定値を用いてＬＥＤ調光回路７００を駆動し、ＬＥＤ光源１１６を点灯させる。光電変換素子１２１がそのＬＥＤ光源１１６の点灯によって照射された原稿台ガラス上の原稿の反射光を読み取る（検知する）ことで、ＣＰＵ６００は原稿の主走査サイズを検知する。
【００５１】
このように、原稿の主走査サイズの検知は行われるが、光電変換素子１２１が原稿の反射光を読み取る際、原稿の色や反射率によっては光量が低いため、ＣＰＵ６００が上手く原稿を検知できない場合がある。
【００５２】
ＣＰＵ６００は、原稿の主走査サイズを検知できない場合、次に第２メモリ６０２ｂに記憶された光量ステップアップ分だけ、第１メモリ６０２ａの初期光量設定値に対して光量を増加させ、ＬＥＤ調光回路７００を駆動し、ＬＥＤ光源１１６を点灯させる。ＣＰＵ６００は、この光量増加を時間の経過とともに所定の最大光量（ＭＡＸ）値まで繰り返し行い、原稿の主走査サイズを検知する。
【００５３】
図１１は原稿の主走査サイズ検知処理手順を示すフローチャートである。この処理プログラムは第１メモリ６０２ａに格納されており、ＣＰＵ６００によって実行される。前記第１の実施形態と同一のステップ処理については同一のステップ番号を付すことによりその説明を省略する。
【００５４】
ＣＰＵ６００は、ステップＳ２で圧板の開閉角度が検知されると、その開閉角度に応じた初期光量設定値を第１メモリ６０２ａから読み出す（ステップＳ３Ａ）。ＣＰＵ６００は、ステップＳ５で第１メモリ６０２ａから読み出された初期光量設定値でＬＥＤ光源１１６を点灯させた後、原稿の主走査サイズを検知できたか否かを判別する（ステップＳ６Ａ）。
【００５５】
原稿の主走査サイズを検知できた場合、ＣＰＵ６００は、ステップＳ７でＬＥＤ光源１１６を消灯（ＯＦＦ）させる。一方、原稿の主走査サイズを検知できなかった場合、ＣＰＵ６００は、第２メモリ６０２ｂに記憶された光量ステップアップ分（光量増加値）だけ加算し、第１メモリ６０２ａの初期光量に対して光量を増加させる（ステップＳ６Ｂ）。このステップＳ６Ｂの処理は光量増加値を取得する増加値取得手段の一例である。
【００５６】
ＣＰＵ６００は、この光量増加を繰り返し行い、ＬＥＤ光量が最大光量（ＭＡＸ）値を超えたか否かを判別する（ステップＳ６Ｃ）。ＣＰＵ６００は、最大光量（ＭＡＸ）値を超えた場合、ステップＳ７の処理に進み、一方、超えていない場合、ステップＳ６Ａの処理に戻る。
【００５７】
図１２は圧板開閉角が３０°の場合における圧板の開閉角度に応じたＬＥＤ光量の設定値の変化を示すタイミングチャートである。第１メモリ６０２ａの初期光量設定値は６０％となっている。そして、光量設定値は、原稿検知時間ｔの経過（Ｔ１〜Ｔ５）とともに、５％分光量が段階的に増加する値となる。初期光量設定値でＴ１時間照射しても、原稿の主走査サイズが検知されない場合、ＣＰＵ６００は、次に第２メモリ６０２ｂに設定された光量ステップアップ分である５％分光量を上げて６５％の光量とする。そして、ＣＰＵ６００は、再び原稿サイズをＴ２時間だけこの光量で照射し、原稿の主走査サイズを検知できるか否かを試みる。
【００５８】
この動作を繰り返し、上限値８０％と設定された最大光量まで到達すると、ＣＰＵ６００は、これ以上照射しても、原稿の主走査サイズを検知できないと判断し、原稿の主走査サイズ検知処理を終了する。なお、この上限値８０％は、あくまで一例として、前記第１の実施形態における圧板の開閉角度３０°に対応する光量設定値と同じ値に揃えられているが、上限値は任意に設定可能である。
【００５９】
図１３は圧板開閉角度が４５°の場合における圧板の開閉角度に応じたＬＥＤ光量の設定値の変化を示すタイミングチャートである。この場合、第１メモリ６０２ａの初期光量設定値は５０％となっている。そして、光量設定値は、原稿検知時間ｔの経過（Ｔ１〜Ｔ７）とともに、５％分光量が段階的に増加する値となる。初期光量設定値でＴ１時間照射しても、原稿の主走査サイズが検知されない場合、ＣＰＵ６００は、次に第２メモリ６０２ｂに設定された光量ステップアップ分である５％分光量を上げて５５％の光量とする。そして、ＣＰＵ６００は、再び原稿サイズをＴ２時間だけこの光量で照射し、原稿の主走査サイズを検知できるか否かを試みる。
【００６０】
図１４は圧板開閉角度が７０°の場合における圧板の開閉角度に応じたＬＥＤ光量の設定値の変化を示すタイミングチャートである。この場合、第１メモリ６０２ａの初期光量設定値は４０％となっている。そして、光量設定値は、原稿検知時間ｔの経過（Ｔ１〜Ｔ９）とともに、５％分光量が段階的に増加する値となる。初期光量設定値でＴ１時間照射しても、原稿の主走査サイズが検知されない場合、ＣＰＵ６００は、次に第２メモリ６０２ｂに設定された光量ステップアップ分である５％分光量を上げて４５％の光量とする。そして、ＣＰＵ６００は、再び原稿サイズをＴ２時間だけこの光量で照射し、原稿の主走査サイズを検知できるか否かを試みる。
【００６１】
このように、第２の実施形態の画像形成装置は、原稿の主走査サイズ検知時、圧板の開閉角度に応じてＬＥＤ光源の光量を制御する。これにより、使用者に眩しいという不快感を与えることなく原稿の主走査サイズ検知を行うことができる。さらに、圧板が開閉された状態で原稿サイズを読み取るために、原稿の色、反射率、外光の影響などから、予め設定された光量だけでは読み取れない場合がある。このような場合であっても、圧板の開閉角度に応じてＬＥＤ光源の光量を段階的に上げていくことで、ＬＥＤを光源として用いたとしても眩しくなくかつ確実に原稿の主走査サイズを検知することが可能となる。つまり、圧板の開閉角度に応じて、予め設定された光源の光量を、時間の経過とともに増加させることで、使用者にとって違和感なく徐々に光量を上げることができ、眩しくなくかつ確実に原稿のサイズを検知することが可能となる。
【００６２】
また、メモリに初期光量設定値および光量ステップアップ分を記憶しておくことで、光量の調整を簡単かつ速やかに行うことができる。
【００６３】
なお、本発明は、上記実施形態の構成に限られるものではなく、特許請求の範囲で示した機能、または本実施形態の構成が持つ機能が達成できる構成であればどのようなものであっても適用可能である。
【００６４】
例えば、上記実施形態では、原稿の主走査サイズを検知する場合を示したが、原稿の副走査サイズを検知する、あるいはそれら両方を検知する場合であっても、本発明は同様に適用可能である。両方を検知する場合、不定形サイズの検知が可能となる。
【００６５】
また、上記実施形態では、圧板開閉角検知センサによって圧板の開閉角度を正確に求め、その角度に応じた光量設定値を４段階に分けて設定していたが、光量設定値の求め方はこの方法に限定されない。例えば、圧板の開閉度合いは、開閉角度として厳密に求めることなく、おおまかであってもよく、例えば、角度大、角度中、角度小の３つであってもよく、それに応じた３段階の光量設定値を設定するようにしてもよい。逆に、圧板の開閉角度に応じた光量設定値を５段階以上にもっと細かく設定するようにしてもよい。
【００６６】
また、上記実施形態では、圧板の開閉角度に応じた、光量設定値、初期光量設定値および光量ステップアップ分のいずれもメモリに予め記憶され、その都度読み出されていた。メモリから読み出す代わりに、圧板の開閉角度に応じたこれらの値を、予め算出された圧板の開閉角度と光量設定値、初期光量設定値および光量ステップアップ分との関係を表す関数により、その都度算出するようにしてもよい。
【００６７】
また、上記実施形態では、時間の経過とともに光量ステップアップ分だけ光量を段階的に上げていたが、時間の経過とともに連続的に光量を上げるようにしてもよい。これにより、使用者にとってより違和感なく徐々に光量を上げることができる。
【００６８】
また、圧板開閉検知手段としては、圧板開閉レバー１３０に付属するフィン１３１が圧板１０８の開閉に連動する際、４つの圧板開閉角検知センサ２００ａ、２００ｂ、２００ｃ、２００ｄによって圧板の開閉角度が検知されるものに限られない。すなわち、種々のものを用いることができる。例えば、圧板に反射板を設けるとともに、画像読み取り部の枠体の上面に、投光部および受光部を有するセンサユニットを設け、投光部から投射された光が反射板で反射され、受光部で受光されるか否かによっても、圧板の開閉度合いは検知可能である。あるいは、複数の受光部を用い、いずれの受光部で受光されるか否かによって、圧板の開閉角度は検知可能である。
【００６９】
また、画像読取装置としては、ファクシミリ装置、スキャナ装置、印刷機能、コピー機能、スキャナ機能等を有する複合機（ＭＦＰ）等に適用される。
【図面の簡単な説明】
【００７０】
【図１】第１の実施形態の画像読取装置の構成を示す断面図である。
【図２】ＬＥＤ光源１１６におけるＬＥＤチップのレイアウトを示す図である。
【図３】原稿台ガラス１２２に原稿１００を載置する際の原稿の位置を表した図である。
【図４】圧板１０８が開かれた際、ＬＥＤ光源１１６が光を照射し、原稿１００によって光が反射されるとともに、原稿１００の無い部分においてＬＥＤ光源１１６からの光が通過する様子を示す図である。
【図５】４つの圧板開閉角検知センサ２００ａ、２００ｂ、２００ｃ、２００ｄとして使われているフォトインタラプタの外観を示す斜視図である。
【図６】画像読取装置１０の制御ユニットの構成を示すブロック図である。
【図７】ＬＥＤ光源１１６およびＬＥＤ調光回路７００の回路構成を示す図である。
【図８】原稿サイズ検知時における圧板の開閉角度に応じたＬＥＤ光源１１６の光量設定値を示すグラフである。
【図９】原稿の主走査サイズ検知処理手順を示すフローチャートである。
【図１０】第２の実施形態における画像読取装置の制御ユニットの構成を示すブロック図である。
【図１１】原稿の主走査サイズ検知処理手順を示すフローチャートである。
【図１２】圧板開閉角が３０°の場合における圧板の開閉角度に応じたＬＥＤ光量の設定値の変化を示すタイミングチャートである。
【図１３】圧板開閉角度が４５°の場合における圧板の開閉角度に応じたＬＥＤ光量の設定値の変化を示すタイミングチャートである。
【図１４】圧板開閉角度が７０°の場合における圧板の開閉角度に応じたＬＥＤ光量の設定値の変化を示すタイミングチャートである。
【図１５】従来の画像読取装置の構成を示す断面図である。
【符号の説明】
【００７１】
１０  画像読取装置
１００  原稿
１０８  圧板
１１６  ＬＥＤ光源
１２１  光電変換素子
２００  圧板開閉角検知センサ
６００  制御部（ＣＰＵ）
６０２  メモリ
７００  ＬＥＤ調光回路
【図１】
2010130631.tif 000003
【図２】
2010130631.tif 000004
【図３】
2010130631.tif 000005
【図４】
2010130631.tif 000006
【図５】
2010130631.tif 000007
【図６】
2010130631.tif 000008
【図７】
2010130631.tif 000009
【図８】
2010130631.tif 000010
【図９】
2010130631.tif 000011
【図１０】
2010130631.tif 000012
【図１１】
2010130631.tif 000013
【図１２】
2010130631.tif 000014
【図１３】
2010130631.tif 000015
【図１４】
2010130631.tif 000016
【図１５】
2010130631.tif 000017